【手続補正書】
【提出日】平成20年8月13日(2008.8.13)
【手続補正１】
【補正対象書類名】特許請求の範囲
【補正対象項目名】全文
【補正方法】変更
【補正の内容】
【特許請求の範囲】
【請求項１】
階層ストレージ・サブシステム内のデータを管理するための方法において、  レベル０ストレージ用のストレージ・グループとして複数のボリュームを指定するステップと、  前記ストレージ・グループ用の第１のしきい値を確立するステップと、  前記ストレージ・グループのうちの１つのボリュームに１つのデータ・セット用のスペースを割り振るステップと、  前記ボリュームに前記データ・セットを保管するステップと、  前記ストレージ・グループ内のボリュームに保管されたすべてのデータ・セットによって使用されるスペースの全量を前記第１のしきい値と比較するステップと、  前記第１のしきい値に到達した場合に前記ストレージ・グループからレベル１ストレージにデータ・セットをマイグレーションするステップと、を有する方法。
【請求項２】
前記ストレージ・グループ内のすべてのボリュームのうち最小量のフリー・スペースを有するボリュームを識別するステップと、  識別された前記ボリュームに保管されたデータ・セットから始めて、前記ストレージ・グループからデータ・セットをマイグレーションするステップと、をさらに有する、請求項１に記載の方法。
【請求項３】
前記ストレージ・グループ内の各ボリュームごとに低しきい値を確立するステップと、  識別された前記ボリュームに保管されたすべてのデータ・セットによって使用されるスペースの全量が識別された前記ボリューム用の前記低しきい値未満になるかまたはそれに等しくなるまで、識別された前記ボリュームからデータ・セットをマイグレーションするステップと、をさらに有する、請求項２に記載の方法。
【請求項４】
前記ストレージ・グループのすべてのボリュームのうち最大フリー・スペースを有するボリュームに新しいデータ・セット用のスペースを割り振るステップであって、それにより、データ・セットが現在そこからマイグレーションされているボリュームのスペースに対して前記割振りが行われるリスクが低減されるステップをさらに有する、請求項３に記載の方法。
【請求項５】
前記ストレージ・グループ用の低しきい値を確立するステップと、  前記ストレージ・グループ内のすべてのボリュームのうち最小量のフリー・スペースを有するボリュームを識別するステップと、  識別された前記ボリュームに保管されたデータ・セットから始めて、前記ストレージ・グループからデータ・セットをマイグレーションするステップと、  前記ストレージ・グループ内のボリュームに保管されたすべてのデータ・セットによって使用されるスペースの全量が前記ストレージ・グループ用の前記低しきい値未満になるかまたはそれに等しくなることまたは前記ストレージ・グループ内のすべてのボリュームからのデータ・セットのマイグレーションが完了することのうちのいずれかが先に発生する時点まで、前記識別ステップおよび前記マイグレーション・ステップを繰り返すステップと、をさらに有する、請求項１に記載の方法。
【請求項６】
前記ストレージ・グループのうちの第１のボリュームからのデータ・セットについて前記マイグレーションを開始するステップと、  前記第１のボリュームからのデータ・セットのマイグレーションが始まったときにフラグを設定するステップと、  前記フラグが設定された場合に、新しいデータ・セット用のスペースが前記第１のボリュームに割り振られるのを防止するステップと、  前記第１のボリュームからのデータ・セットのマイグレーションが完了したときに前記フラグをクリアするステップであって、それにより、新しいデータ・セットのために前記第１のボリュームへのスペースの割振りが許可されるステップと、をさらに有する、請求項１に記載の方法。
【請求項７】
少なくとも第１および第２のレベルのデータ・ストレージが接続されるホスト・コンピュータであって、前記第１のレベルのデータ・ストレージが、複数のボリュームのデータ・セットを保管するために割り振られたスペースを有する少なくとも第１のストレージ・グループに構成される、ホスト・コンピュータと、  前記第１のストレージ・グループ用の高しきい値を確立するための手段と、  前記第１のストレージ・グループのうちの１つのボリュームに１つのデータ・セット用のスペースを割り振るための手段と、  前記ボリュームに前記データ・セットを保管するための手段と、  前記第１のストレージ・グループ内のボリュームに保管されたすべてのデータ・セットによって消費されるスペースの全量を前記高しきい値と比較するための手段と、  前記高しきい値が前記第１のストレージ・グループ内のボリュームに保管されたすべてのデータ・セットによって使用されるスペースの全量未満であるかまたはそれに等しい場合に、前記第１のストレージ・グループから前記第２のレベルのストレージにデータ・セットをマイグレーションするための手段と、を有する階層ストレージ管理システム。
【請求項８】
前記第１のストレージ・グループ内のすべてのボリュームのうち最小量のフリー・スペースを有するボリュームを識別するための手段と、  識別された前記ボリュームに保管されたデータ・セットから始めて、前記第１のストレージ・グループからデータ・セットをマイグレーションするための手段と、をさらに有する、請求項７に記載のシステム。
【請求項９】
前記第１のストレージ・グループ内の各ボリュームごとに低しきい値を確立するための手段と、  識別された前記ボリュームに保管されたすべてのデータ・セットによって使用されるスペースの全量が識別された前記ボリューム用の前記低しきい値未満になるかまたはそれに等しくなるまで、識別された前記ボリュームからデータ・セットをマイグレーションするための手段と、をさらに有する、請求項８に記載のシステム。
【請求項１０】
前記第１のストレージ・グループのすべてのボリュームのうち最大フリー・スペースを有するボリュームに新しいデータ・セット用のスペースを割り振るための手段であって、それにより、データ・セットが現在そこからマイグレーションされているボリュームのスペースに対して前記割振りが行われるリスクが低減される手段をさらに有する、請求項９に記載のシステム。
【請求項１１】
前記第１のストレージ・グループ用の低しきい値を確立するための手段と、  前記第１のストレージ・グループ内のすべてのボリュームのうち最小量のフリー・スペースを有するボリュームを識別するための手段と、  識別された前記ボリュームに保管されたデータ・セットから始めて、前記第１のストレージ・グループからデータ・セットをマイグレーションするための手段と、  前記第１のストレージ・グループ内のボリュームに保管されたすべてのデータ・セットによって使用されるスペースの全量が前記第１のストレージ・グループ用の前記低しきい値未満になるかまたはそれに等しくなることまたは前記第１のストレージ・グループ内のすべてのボリュームからのデータ・セットのマイグレーションが完了することのうちのいずれかが先に発生する時点まで、前記識別ステップおよび前記マイグレーション・ステップを繰り返すための手段と、をさらに有する、請求項７に記載のシステム。
【請求項１２】
前記第１のストレージ・グループのうちの第１のボリュームからのデータ・セットについて前記マイグレーションを開始するための手段と、  前記第１のボリュームからのデータ・セットのマイグレーションが始まったときにフラグを設定するための手段と、  前記フラグが設定された場合に、新しいデータ・セット用のスペースが前記第１のボリュームに割り振られるのを防止するための手段と、  前記第１のボリュームからのデータ・セットのマイグレーションが完了したときに前記フラグをクリアするための手段であって、それにより、新しいデータ・セットのために前記第１のボリュームへのスペースの割振りが許可される手段と、をさらに有する、請求項７に記載のシステム。
【請求項１３】
前記第１のレベルのストレージがＤＡＳＤストレージ・デバイスを有する、請求項７に記載のシステム。
【請求項１４】
前記第２のレベルのストレージがテープ・ストレージを有する、請求項７に記載のシステム。
【請求項１５】
階層ストレージ・サブシステムを、  レベル０ストレージ用のストレージ・グループとして複数のボリュームを指定するための手段、  前記ストレージ・グループ用の高しきい値を確立するための手段、  前記ストレージ・グループのうちの１つのボリュームに１つのデータ・セット用のスペースを割り振るための手段、  前記ボリュームに前記データ・セットを保管するための手段、  前記ストレージ・グループ内のボリュームに保管されたすべてのデータ・セットによって消費されるスペースの全量を前記高しきい値と比較するための手段、  前記高しきい値が前記ストレージ・グループ内のボリュームに保管されたすべてのデータ・セットによって使用されるスペースの全量未満であるかまたはそれに等しい場合に、前記ストレージ・グループからレベル１ストレージにデータ・セットをマイグレーションするための手段、として機能させるためのコンピュータ・プログラム。
【請求項１６】
コンピューティング・システムにコンピュータ可読コードを統合してなるコンピューティング・インフラストラクチャを配備するための方法において、前記コードが前記コンピューティング・システムと協働して、  レベル０ストレージ用のストレージ・グループとして複数のボリュームを指定するステップと、  前記ストレージ・グループ用の高しきい値を確立するステップと、  前記ストレージ・グループのうちの１つのボリュームに１つのデータ・セット用のスペースを割り振るステップと、  前記ボリュームに前記データ・セットを保管するステップと、  前記ストレージ・グループ内のボリュームに保管されたすべてのデータ・セットによって消費されるスペースの全量を前記高しきい値と比較するステップと、  前記高しきい値が前記ストレージ・グループ内のボリュームに保管されたすべてのデータ・セットによって使用されるスペースの全量未満であるかまたはそれに等しい場合に、前記ストレージ・グループからレベル１ストレージにデータ・セットをマイグレーションするステップと、を実行することができることを特徴とする、コンピューティング・インフラストラクチャ配備方法。